(57)【要約】【課題】セシリンを十分に溶出し、さらに、絹糸により形成したものよりも木目の細かい洗浄器具を提供することを課題とする。【解決手段】洗浄器具として、蚕の繭（１０）から蛹を取り出し、複数の微細な空間を内包する弾性材（２０）を内部に挿入した洗浄体から構成し、蚕の繭をそのまま使用することでセシリンが十分に溶出させ、また、細い繊維体による細かな木目を得る。さらに、この洗浄体を前記弾性体からなる紐（２０）により、連結するようにしたり、さらに、当該紐（２０）の端部を繋ぐことでリング状とする。【選択図】  図２
0003145634.tif 000002
【実用新案登録請求の範囲】
【請求項１】
蚕の繭から蛹を取り出し、多数の微細な空間を内包する弾性材を内部に挿入した洗浄体からなる洗浄器具。
【請求項２】
前記洗浄体を紐により連結した請求項１に記載の洗浄器具。
【請求項３】
前記紐は前記弾性材により形成され、前記紐を前記弾性材として前記繭内部に挿入したものである請求項２に記載の洗浄器具。
【請求項４】
前記紐をリング状に形成した請求項２又は３に記載の洗浄器具。
【考案の詳細な説明】
【技術分野】
【０００１】
本考案は、蚕の繭を用いた身体の洗浄器具に関する。
【背景技術】
【０００２】
絹に含まれるたんぱく質の一種であるセシリンは、肌に対して保湿効果、抗酸化効果、シミ、そばかすを防止する効果などがあり、さらに、酸性であることから石鹸等の洗浄剤の刺激を低減する作用などがあることが知られている。従って、セシリンを含む絹を用いた洗顔器具は、セシリンが溶出し肌によい効果を与えることができる。
下記特許文献１には、セシリンを含む樹脂粉末を絹の袋に封入した洗顔器具が示され、下記特許文献２には、絹地を用いた洗顔器具が示されている。
【特許文献１】特開2000-37317号公報
【特許文献２】特開平10-43085号公報
【考案の開示】
【考案が解決しようとする課題】
【０００３】
ところで、上記特許文献に記載されている考案は絹糸の織物等を用いているが、絹糸は蚕の繭から紡いだ糸を何本も撚り合わせている為、微視的に見ると毛穴や小じわ等に対して太く、毛穴等の肌の凹んだ部分は汚れが取れにくいという問題がある。
本考案は、このような問題に鑑みて、セシリンを十分に溶出し、さらに、絹糸により形成したものよりも、木目の細かい洗浄器具を提供することを課題とする。
【課題を解決するための手段】
【０００４】
上記課題を解決するために、本考案は次のような構成を有する。
請求項１に記載の考案は、蚕の繭から蛹を取り出し、複数の微細な空間を内包する弾性材を内部に挿入した洗浄体からなる洗浄器具である。複数の微細な空間を有する弾性材は、繊維束、撚り糸、紐、綱、編物、織物、不織布、綿などの繊維素材や、ウレタンスポンジなどの発泡合成樹脂、海綿などの天然の多孔質弾性素材などが例示される。
請求項２に記載の考案は、前記洗浄器具において、前記洗浄体を紐により連結したものである。
請求項３に記載の考案は、請求項２に記載の洗浄器具において、前記紐を前記弾性材とし、これを前記繭内部に挿入したものである。
請求項４に記載の考案は、請求項２又は３に記載の洗浄器具において、前記紐をリング状に形成したものである。
【考案の効果】
【０００５】
請求項１に記載の考案は、蚕の繭をそのまま洗浄器具として用いるので、繊維が極めて細かく、さらに、繊維の方向がランダムであるので、古い角質や汚れが取れ易く、肌への刺激も少ない。また、内部に微細な空間を有する弾性材を封入することで吸水性を高め洗浄剤を用いて微細な泡を作り、これにセシリンを多量に溶出させることができる。さらに、弾性材により繭殻の形状をある程度保持することで、繭殻の形状・大きさと相まってマッサージ効果も奏することができる。
請求項２に記載の考案は、蚕の繭からできた洗浄体を紐により連結することで、取り扱いが容易となり、また、繭殻が配列されることで連続する凹凸が並ぶことにより、よりマッサージ効果を高めることができる。
請求項３に記載の考案は、前記弾性体により前記紐を構成し、紐を繭内に挿入することで、紐により連結した本洗浄器具を容易に製造することができる。
請求項４に記載の考案は、全体がリング状に形成されるので、収納時にフックなどに掛けやすく、手のひらに収まる程度の小さなリングにすれば、洗顔に際して扱いやすくすることができる。
【考案を実施するための最良の形態】
【０００６】
以下、本考案の実施形態について、図を参照しながら説明する。
（実施形態１）
図１に実施形態１に係る洗浄器具Ｘの斜視図を示す。洗浄器具Ｘは、蚕の繭１０の両端部分を切り取り、蛹を取り出した後に、紐２０に通して固定したものである。紐２０は多数の微細な空間を内包する弾性材として、ここでは麻ひもを用いるが、紐の材質は細長く加工したウレタンスポンジや他の繊維紐など種々のものを用いることができる。紐２０はここでは、３本を並列に配列し、両端が紐２０の外周を勘合固定できる穴が３つ空いた板体からなる連結具２５によりまとめられている。紐２０の太さは、繭１０の内径よりもやや細いものを用いる。図２に一本の紐２０に係合している繭１０の状態を示す一部拡大縦断面図を示す。図に示すように、繭１０の内径の方がやや大きいので、繭１０内部には少しの隙間が形成される。
【０００７】
以上のような構成を有する洗浄器具Ｘの使用方法について以下に説明する。使用に際しては、まず、湯に数分間洗浄器具Ｘを浸けて、その後、石鹸等の洗浄剤を適量つける。なお、湯につけることで繭１０が膨潤し、紐２０と繭１０の内部との間には空間があるので、繭１０の表面はでこぼこになる。
その後、紐２０の両端をもって繭１０が配列した部分が体の表面に当接するようにして、紐２０の両端を往復させるように引っ張ることで、体の表面を複数の繭１０でこする。この過程で、繭１０や紐２０にしみこんだ湯と洗浄剤により微細な泡が発生する。この泡が繭１０内部を通ることで、繭１０を構成する繊維からセシリンが溶出して泡に付着することとなる。セシリンは弱酸性であり、洗浄剤の刺激を押さえることができる。さらに、繭１０を構成する繊維は微細であり、ランダムに絡まっているので、泡とともに肌の古い角質等の汚れをうまく取りのぞくことができる。また、繭１０表面はでこぼこになり、繭の配列方向に沿って凹凸が連続的に生じるので、肌をこする過程において、肌に加わる圧力が変わり、肌に刺激を与え血行を良くすることができる。
【０００８】
（実施形態２）
図３に実施形態２に係る洗浄器具Yの正面図を示す。洗浄器具Yは、実施形態１に係る洗浄用具Ｘと同様に、繭１０の両端部分を切り取った後に、蛹を取り出し、紐２０に通したものであるが、紐２０の両端を連結具２６により固定し、リング状としたものである。連結具２６は樹脂のリング体であって、紐２０端部に嵌合するものである。また、洗浄器具Ｙの外径は手のひらに収まる程度の大きさに設定される。
使用に際しては、まず、湯に数分間洗浄器具Ｙを浸けて、その後、石鹸等の洗浄剤を適量つける。その後、手に取って、握ったり広げたりすることで泡立てる。この際、配列された繭１０の凹凸により手の平のツボを刺激し、マッサージをするような効果が生じる。発生した泡には、前述したようにセシリンが溶出しているので、この泡を用いて洗浄する体の部位を擦ることで、体を洗浄する。この際、やはり、セシリンにより洗浄剤の刺激が押さえられ、繭１０を構成する微細な繊維により、肌の古い角質等の汚れを取り除くことができる。
【０００９】
（実施形態３）
図４（ａ）に実施形態３に係る洗浄器具Ｚの斜視図を示し、図４（ｂ）に洗浄器具Ｚの拡大縦断面図を示す。洗浄器具Ｚはおもに洗顔に用いる。洗浄器具Ｚは、蚕の繭１０の先端部分１０ａを切り取り、内部に、多数の微細な空間を内包する弾性材３０を入れ、先端を縫い付けたものである。弾性材３０として、ここではウレタンスポンジを封入するが、弾性材３０は繊維体からなる素材など種々のものを採用することができる。
以上のような構成を有する洗浄器具Ｚの使用方法について以下に説明する。まず、やはり湯に数分間洗浄器具Ｚを浸け、その後、石鹸等の洗浄剤を適量含ませる。そして、洗浄剤を含んだ、洗浄器具Ｚを数個、手に持って手のひらで揉む事で、手のひらのツボを刺激しながら洗浄用の泡を生成する。この過程において、やはり、セシリンが繭１０から溶出して泡に付着することとなる。泡が十分に生成できたら、複数の洗浄器具Ｚと生成された泡と一緒に顔の表面をプッシング洗浄する。この際、セシリンにより洗浄剤の刺激が緩和され、また、繭１０を構成する繊維は微細であり、ランダムに絡まっているので、泡とともに肌の古い角質等の汚れをうまく取り除くことができる。また、繭１０内に弾性材２０Ｂが封入されており、また、複数を手に持つことで全体として適度に凹凸を有することから顔にマッサージ効果を与えることができる。
【００１０】
（セシリンの溶出について）
蚕の繭からセシリンが溶出し洗浄剤のアルカリ性を抑制することについて、以下の試験結果を示す。
４３度の湯水100ccに石鹸(花王社製  ホワイト（商標）)0.1gを溶解させた溶液のpHは10.1であった。この溶液に、繭殻1gをいれ入れ、時間経過とともにpHを測定すると、一分後のpHは9.6、３分後のpHは9.4、５分後のpHは9.2、10分後のpHは9.0と、より中性側へと変化することが見てとれた。以上の事から繭殻から溶け出すセシリンにより石鹸のアルカリ性が中和され、石鹸の刺激が抑えられることが推測できる。
次に、洗浄剤を含まない湯に繭殻を入れた場合のpH値を測定した。具体的には、４５℃５０ccの湯に、繭殻３gを浸漬し、時間経過とともにｐH値を測定した。未浸漬の時はpHは8.6であったが、浸漬1分後にpHは8.3となり、3分後にpＨは7.6となった。
以上のことから、セシリンの溶出は時間経過とともに多くなると推測され、繭１０内部に、多数の微細な空間を有する紐２０や弾性材３０を封入することで、セシリンの溶出が促進できると考えられる。
【００１１】
なお、実施形態１においては、紐２０は繭１０の内径よりもやや細いものを使用し、内部に空間ができるようにしたが、これは図５（ａ）に示すように、紐２０を繭１０の内径とほぼ同じ太さのものを使用して、空間ができないようにしてもよく。また、図５（ｂ）に示すように、空間部分に弾性体３０を充填するようにしてもよい。
【図面の簡単な説明】
【００１２】
【図１】実施形態１に係る洗浄器具を示す斜視図である。
【図２】実施形態１に係る洗浄器具の一部拡大縦断面図である。
【図３】実施形態２に係る洗浄器具の正面図である。
【図４】（ａ）は実施形態３に係る洗浄器具の斜視図であり、（ｂ）は実施形態３に係る洗浄器具の縦断面図である。
【図５】（ａ）は実施形態１に係る洗浄器具の変形例を示す一部拡大縦断面図であり、（ｂ）は実施形態１に係る洗浄器具の他の変形例を示す一部拡大縦断面図である。
【符号の説明】
【００１３】
Ｘ、Ｙ、Ｚ  洗浄器具
１０    繭
２０    紐
３０    弾性体
【図１】
0003145634.tif 000003
【図２】
0003145634.tif 000004
【図３】
0003145634.tif 000005
【図４】
0003145634.tif 000006
【図５】
0003145634.tif 000007